(57)【特許請求の範囲】
【請求項１】
読み取った画像を保存する画像保存処理を実行可能な画像処理装置において、前記画像保存処理の実行に関する所定の関連作業を中断するために、読み取った画像を一時的に保存する処理を実行するよう指示する操作入力に基づき、中断される前記関連作業の作業履歴に関する情報を、前記関連作業を行ったユーザを識別する識別情報と対応づけて、所定の記憶領域に格納する送信部と、
前記画像処理装置と通信可能に接続され前記画像処理装置における前記画像保存処理の実行に関する所定の関連作業を行うことのできるコンピュータにおいて、該関連作業を行うユーザを識別するための識別情報を取得する識別情報取得部と、
前記識別情報取得部にて識別情報が取得されたユーザにより前記画像処理装置にて前記関連作業が開始された画像保存処理のうち、ジョブが未完了のものがあるか否かを判定する作業判定部と、
前記作業判定部にて未完了の画像保存処理があると判定された場合に、該未完了の前記画像保存処理についての関連作業での前記識別情報に対応づけられている作業履歴に関する情報を取得する作業履歴取得部と、
前記識別情報取得部にて識別情報が取得されたユーザに対応するインターフェース画面の表示に関する設定情報であって、前記識別情報が取得されたユーザに対応する前記画像処理装置におけるインターフェース画面の表示に関する設定情報と同じ設定情報を取得する設定情報取得部と、
前記設定情報取得部にて取得される情報に基づいて前記コンピュータにてインターフェース画面を表示させるとともに、該インターフェース画面において前記作業履歴取得部にて取得された情報を作業内容として反映させる画面制御部と
を備えてなる表示制御システム。
【請求項２】
請求項１に記載の表示制御システムにおいて、
前記関連作業は前記画像保存処理の実行に関する設定作業である表示制御システム。
【請求項３】
請求項１に記載の表示制御システムにおいて、
前記画面制御部は、前記作業履歴取得部にて取得される情報に基づいて、前記コンピュータにて表示させるインターフェース画面上で前記読み取った画像が一時的に保存されていることの通知を行う表示制御システム。
【請求項４】
請求項３に記載の表示制御システムにおいて、
前記画面制御部は、前記作業履歴取得部にて取得される情報に基づいて、前記コンピュータにて表示させるインターフェース画面上で前記所定の記憶領域に格納されたデータへのアクセスを促す表示を行う表示制御システム。
【請求項５】
請求項１に記載の表示制御システムにおいて、
前記設定情報は、前記インターフェース画面における表示対象物の強調表示の度合いに関するものであり、
前記表示対象物は、文字およびアイコンの内少なくともいずれかを含むものであり、
前記画面制御部は、前記設定情報に基づいて、文字の内容、字の書体、字の太さ、字の傾き、図形の形状、線の太さ、輝度、大きさ、動き、彩度およびコントラスト値のうち少なくともいずれかを変化させることにより前記表示対象物の強調表示を行う表示制御システム。
【請求項６】
読み取った画像を保存する画像保存処理を実行可能な画像処理装置において、前記画像保存処理の実行に関する所定の関連作業を中断するために、読み取った画像を一時的に保存する処理を実行するよう指示する操作入力に基づき、中断される前記関連作業の作業履歴に関する情報を、前記関連作業を行ったユーザを識別する識別情報と対応づけて、所定の記憶領域に格納する情報格納ステップと、
前記画像処理装置と通信可能に接続され前記画像処理装置における前記画像保存処理の実行に関する所定の関連作業を行うことのできるコンピュータにおいて、該関連作業を行うユーザを識別するための識別情報を取得する識別情報取得ステップと、
前記識別情報取得ステップにて識別情報が取得されたユーザにより前記画像処理装置にて前記関連作業が開始された画像保存処理のうち、ジョブが未完了のものがあるか否かを判定する作業判定ステップと、
前記判定ステップにて未完了の画像保存処理があると判定された場合に、該未完了の前記画像保存処理についての関連作業での前記識別情報に対応づけられている作業履歴に関する情報を取得する作業履歴取得ステップと、
前記識別情報取得ステップにて識別情報が取得されたユーザに対応するインターフェース画面の表示に関する設定情報であって、前記識別情報が取得されたユーザに対応する前記画像処理装置におけるインターフェース画面の表示に関する設定情報と同じ設定情報を取得する設定情報取得ステップと、
前記設定情報取得ステップにて取得される情報に基づいて前記コンピュータにてインターフェース画面を表示させるとともに、該インターフェース画面において前記作業履歴取得ステップにて取得された情報を作業内容として反映させる画面制御ステップと
を備えてなる表示制御方法。
【請求項７】
請求項６に記載の表示制御方法において、
前記関連作業は前記画像保存処理の実行に関する設定作業である表示制御方法。
【請求項８】
請求項６に記載の表示制御方法において、
前記画面制御ステップは、前記作業履歴取得ステップにて取得される情報に基づいて、前記コンピュータにて表示させるインターフェース画面上で前記読み取った画像が一時的に保存されていることの通知を行う表示制御方法。
【請求項９】
請求項８に記載の表示制御方法において、
前記画面制御ステップは、前記作業履歴取得ステップにて取得される情報に基づいて、前記コンピュータにて表示させるインターフェース画面上で前記所定の記憶領域に格納されたデータへのアクセスを促す表示を行う表示制御方法。
【請求項１０】
請求項６に記載の表示制御方法において、
前記設定情報は、前記インターフェース画面における表示対象物の強調表示の度合いに関するものであり、
前記表示対象物は、文字およびアイコンの内少なくともいずれかを含むものであり、
前記画面制御ステップは、前記設定情報に基づいて、文字の内容、字の書体、字の太さ、字の傾き、図形の形状、線の太さ、輝度、大きさ、動き、彩度およびコントラスト値のうち少なくともいずれかを変化させることにより前記表示対象物の強調表示を行う表示制御方法。
【発明の詳細な説明】
【技術分野】
【０００１】
本発明は、インターフェース画面における文字やアイコン等の表示対象物の表示制御技術に関するものである。
【背景技術】
【０００２】
従来、ＰＣ等の外部機器からプリンタドライバ等を用いて画像処理装置にて所定の画像処理を遠隔的に実行させる技術が知られる（例えば、特許文献１〜４参照。）。
【特許文献１】特開２００４−３１２７１１号公報
【特許文献２】特開２００４−２６４５４０号公報
【特許文献３】特開２００３−２８９４１９号公報
【特許文献４】特開２０００−３４９９５２号公報
【発明の開示】
【発明が解決しようとする課題】
【０００３】
上記従来の外部機器によるプリンタドライバを用いた画像処理装置の操作では、上記外部機器にて画面表示されるプリンタドライバのインターフェース画面と、画像処理装置におけるインターフェース画面とに共通性がなく、そのデザインや情報の分類の仕方が全く異なっている。
【０００４】
このように、画像処理装置の操作画面上での操作方法と外部機器（プリンタドライバなど）での操作方法は、同様な処理を行わせようとする場合でも全く異なっている。そのため、ユーザは画像処理装置における操作方法と外部機器での操作方法の２種類を覚えなくてはならず、操作性や作業性の観点から好ましいとは言えない。
【０００５】
また、近年の画像処理装置は、その操作内容が複雑化してきており、操作に時間を要する場合が多い。しかしながら、オフィス等において利用される画像処理装置は、複数人のユーザによって共用される場合が多いため、一人のユーザが画像処理装置を占有し続けることは好ましくない。よって、あるユーザがなんらかの画像処理を行なうための複雑な設定作業を行なっているような場合でも、急ぎの処理を行ないたいユーザが待っているようなとき、当該設定作業を行なっていたユーザは設定した内容を一旦キャンセルし、待っているユーザに急ぎの処理を行なわせ、その後再度同じ内容の設定をやり直している。このような設定作業のやり直しは、作業効率の観点から好ましくない。
【０００６】
本発明は上述した問題点を解決するためになされたものであり、複数人のユーザに利用される機器が設定操作等によって特定のユーザにより占有される時間を短縮するとともに、操作性および作業効率の向上に寄与することができる技術を提供することを目的とする。
【課題を解決するための手段】
【０００７】
上述した課題を解決するため、本発明に係る表示制御システムは、所定の処理を実行可能な第１の機器と通信可能に接続され該第１の機器における前記所定の処理の実行に関する所定の関連作業を行うことのできる第２の機器において、該関連作業を行うユーザを識別するための識別情報を取得する識別情報取得部と、前記識別情報取得部にて識別情報が取得されたユーザにより前記第１の機器にて前記関連作業が開始された所定の処理のうち、ジョブが未完了のものがあるか否かを判定する作業判定部と、前記作業判定部にて未完了の所定の処理があると判定された場合に、該未完了の所定の処理についての関連作業での作業履歴に関する情報を取得する作業履歴取得部と、前記識別情報取得部にて識別情報が取得されたユーザに対応するインターフェース画面の表示に関する設定情報を取得する設定情報取得部と、前記設定情報取得部にて取得される情報に基づいて前記第２の機器にてインターフェース画面を表示させるとともに、該インターフェース画面において前記作業履歴取得部にて取得された情報を作業内容として反映させる画面制御部とを備えてなることを特徴とするものである。
【０００８】
また、本発明に係る画像処理装置は、所定の画像処理を実行可能な画像処理装置であって、前記画像処理装置と通信可能に接続された外部機器において前記画像処理装置における前記所定の画像処理の実行に関する所定の関連作業を行うユーザを識別するための識別情報を取得する識別情報取得部と、前記識別情報取得部にて識別情報が取得されたユーザにより前記画像処理装置にて前記関連作業が開始された所定の処理のうち、ジョブが未完了のものがあるか否かを判定する作業判定部と、前記作業判定部にて未完了の所定の処理があると判定された場合に、該未完了の所定の処理についての関連作業での作業履歴に関する情報を前記外部機器へ向けて送信させる送信部とを備えてなることを特徴とするものである。
【０００９】
また、本発明に係る表示制御方法は、所定の処理を実行可能な第１の機器と通信可能に接続され該第１の機器における前記所定の処理の実行に関する所定の関連作業を行うことのできる第２の機器において、該関連作業を行うユーザを識別するための識別情報を取得する識別情報取得ステップと、前記識別情報取得ステップにて識別情報が取得されたユーザにより前記第１の機器にて前記関連作業が開始された所定の処理のうち、ジョブが未完了のものがあるか否かを判定する作業判定ステップと、前記判定ステップにて未完了の所定の処理があると判定された場合に、該未完了の所定の処理についての関連作業での作業履歴に関する情報を取得する作業履歴取得ステップと、前記識別情報取得ステップにて識別情報が取得されたユーザに対応するインターフェース画面の表示に関する設定情報を取得する設定情報取得ステップと、前記設定情報取得ステップにて取得される情報に基づいて前記第２の機器にてインターフェース画面を表示させるとともに、該インターフェース画面において前記作業履歴取得ステップにて取得された情報を作業内容として反映させる画面制御ステップとを備えてなることを特徴とするものである。
【発明の効果】
【００１０】
以上に詳述したように本発明によれば、複数人のユーザに利用される機器が設定操作等によって特定のユーザにより占有される時間を短縮するとともに、操作性および作業効率の向上に寄与することができる技術を提供することができる。
【発明を実施するための最良の形態】
【００１１】
以下、本発明の実施の形態について図面を参照しつつ説明する。図１は、本実施の形態による画像処理装置１１、および画像処理装置１１を含む表示制御システムの構成を示す図である。同図に示す表示制御システムでは、インターネット９等の電気通信回線を介して、画像処理装置１１〜１ｎ、データベース３、ＰＣ（Personal Computer）４１〜４ｎおよびサーバ５が相互通信可能に接続されている。
【００１２】
ここでは、画像処理装置１１〜１ｎ、データベース３、ＰＣ４１〜４ｎおよびサーバ５については、それぞれを相互に通信可能に接続する手段がインターネットであるものとしているが、これに限らずＬＡＮやＷＡＮ等であってもよい（また、有線であるか無線であるかは問わない）。また、ＰＣ４１〜４ｎからは、画像処理装置１１〜１ｎへの画像処理に関する種々の設定や画像処理の実行命令等を行なうことが可能となっている。ＰＣ４１〜４ｎからの画像処理装置１１〜１ｎへの命令等は、ＰＣ４１〜４ｎにインストールされたドライバによって行なう。データベース３は、画像処理装置１１〜１ｎ、ＰＣ４１〜４ｎにて利用される各種設定情報等を格納する記憶領域としての役割を有している。
【００１３】
図２は、本実施の形態による画像処理装置１１の概要について説明するための外観斜視図である。ここでは、一例として、画像処理装置１１がＭＦＰ（Multi Function Peripheral）である例を挙げる。
【００１４】
本実施の形態による画像処理装置１１は、インターフェース画面１０１、ＡＤＦ（Auto Document Feeder）１０２、画像読取部１０３、手差し給紙部１０４、給紙カセット１０５、画像形成部１０６、認証処理部１０７、ＣＰＵ８０１およびＭＥＭＯＲＹ８０２を備えてなる構成となっている。
【００１５】
以下、本実施の形態による画像処理装置１１の動作について簡単に説明する。画像処理装置１１にてコピー処理（所定の画像処理）を行う場合、まず認証処理部１０７にてユーザの認証処理が行われる。続いて、認証処理に成功したユーザによるインターフェース画面１０１への操作入力に基づいて、ＡＤＦ１０２にセットされた原稿が画像読取部（画像処理部）１０３による原稿読取位置に対して自動搬送される。このようにして搬送された原稿は、画像読取部１０３にて画像を読み取られる。そして、インターフェース画面１０１への操作入力に基づいて選択された給紙方法により、給紙カセット１０５および手差し給紙部１０４の内いずれか一方により給紙動作が行なわれる。給紙された用紙は、画像形成部（画像処理部）１０６に搬送され、画像読取部１０３にて読み取られた画像に基づく画像形成処理が施され、コピー処理が完了する。
【００１６】
なお、インターフェース画面１０１は、例えばタッチパネルディスプレイから構成されており、インターフェース画面１０１における表示内容に基づくユーザの操作入力を受け付ける操作入力部としての役割も有している。
【００１７】
画像処理装置１１では、「データ送信」、「お気に入り登録内容の呼出」、「スキャンプレビュー」、「プリント」、「データ保存」および「データ呼出」等の、それぞれが異なる所定の処理を実行可能となっている。画像処理装置１１では、上述の複数の所定の処理に対応する文字やアイコン等の複数の表示対象物をインターフェース画面１０１上に画面表示させる。なお、ここでの「文字」には「記号」が含まれ、「アイコン」には「図形」が含まれる。本実施の形態による画像処理装置では、文字およびアイコンの内少なくともいずれか一方を含むものを表示対象物として画面表示可能であるが、以下の説明では説明の便宜上、表示対象物を単に「アイコン」と表現する。画像処理装置１１における上記所定の処理の処理対象物としては、例えばシート原稿、冊子状の原稿および画像データ等が挙げられる。
【００１８】
図３は、本実施の形態による表示制御システムについて説明するための機能ブロック図である。本実施の形態において、画像処理装置１１〜画像処理装置１ｎは全て同じ構成部分を有するものであり、ＰＣ４１〜ＰＣ４ｎも全て同じ構成部分を有している。画像処理装置１１〜画像処理装置１ｎの内いずれかとＰＣ４１〜ＰＣ４ｎの内いずれかとにより本実施の形態による表示制御システムが実現可能であるため、以下、一例として画像処理装置１１とＰＣ４１により構成される表示制御システムの機能について詳細に説明する。
【００１９】
本実施の形態による表示制御システムは、識別情報取得部２０１、作業判定部２０２、送信部２０６、ＣＰＵ８０１およびＭＥＭＯＲＹ８０２を備えた画像処理装置１１と、作業履歴取得部２０３、設定情報取得部２０４、画面制御部２０５、ＣＰＵ９０１およびＭＥＭＯＲＹ９０２を備えたＰＣ４１とを備えてなる構成となっている。また、ＰＣ４１は、画像処理装置１１におけるインターフェース画面１０１と同様に、インターフェース画面を画面表示可能なディスプレイ４１ａを備えている（図１参照）。
【００２０】
識別情報取得部２０１は、画像読取処理、画像形成処理、コピー処理等の所定の画像処理を実行可能な画像処理装置１１（第１の機器）と通信可能に接続され該画像処理装置１１における所定の画像処理の実行に関する所定の設定作業等（関連作業）を行うことのできるＰＣ４１（第２の機器）において該設定作業等を行うユーザを識別するための識別情報を取得する。具体的に、識別情報取得部２０１は、ＰＣ４１にてユーザがドライバにより画像処理装置１１に例えばプリント処理等を実行させるための設定作業を行なう場合に、ＰＣ４１或いはＰＣ４１からの画像処理装置１１へのログイン情報等に基づいて、当該ユーザの識別情報をネットワークを介して取得する。
【００２１】
作業判定部２０２は、識別情報取得部２０１にて識別情報が取得されたユーザにより第１の機器にて設定作業等が開始された所定の処理のうち、ジョブが未完了のもの（設定作業等の途中で作業が止まってしまっている処理）があるか否かを判定する。ここで、「設定作業等が開始された所定の処理の内、ジョブが未完了のもの」とは、例えばコピー処理を行うために画像処理装置１１に対して「コピー枚数」や「印刷濃度」等の種々の設定を行なっていたにも拘らず、コピー処理を行うことなく設定作業が中断してしまっているような状態の処理を意味する。
【００２２】
図４は、画像処理装置１１において画像読取処理（スキャンプレビュー処理）を行なう際にインターフェース画面１０１に表示されるインターフェース画面を示す図である。同図に示すインターフェース画面では、スキャンプレビュー処理に関する詳細な設定項目を示すアイコン群が円環状のアイコン表示領域内に配列され、画像処理装置１１にて実行可能な他の処理に対応するアイコン６０１〜アイコン６０６が画面上における上記円環状のアイコン表示領域の右側に配列されている。ユーザが画像処理装置１１におけるインターフェース画面１０１に対して画像読取処理を実行させる旨の操作入力を行なうことにより、画像読取部１０３にて原稿の画像が読み取られる。図４では、画像処理装置１１にて画像読取処理を実行させることにより読み取られた原稿のイメージ画像Ｐが多重に配列された円環状のアイコン表示領域の最も内側の位置に表示されている。
【００２３】
次に、画像処理装置１１における画像読取処理により読み取られた原稿の画像データをユーザが所望の記憶領域に保存したい場合、ユーザはデータ保存処理を行なう処理モードへの画面切替えを行なうためのアイコン６０５を選択する。図５は、データ保存処理を行う際にインターフェース画面１０１に表示されるインターフェース画面を示す図である。ユーザはこの画面上で複数のデータ格納場所候補に対応するアイコン７０１〜アイコン７０９の内、所望の格納場所に対応するアイコンを選択して画像読取処理により読み取った画像データを保存する。
【００２４】
ここで、ユーザが図５に示す画面の状態で、他のユーザが緊急で画像処理装置１１の使用を希望している場合、当該画像処理装置１１にてデータ保存処理（第１の機器における所定の処理）の設定中であるユーザは、保存すべきデータを一時的に保存するために当該ユーザの識別情報に対応付けてデータベース３内に設けられている記憶領域に格納する「一時保存処理（所定の処理の実行に先立って行われる所定のデータ格納作業）」に対応するアイコン７０２を選択する。図６は、アイコン７０２を選択している様子を示す図である。ユーザがアイコン７０２を選択すると、保存しようとしていたデータが一時的にデータベース３内の一時保存フォルダに格納された旨のウィンドウ表示が行なわれる。図７は、データを一時保存フォルダに格納したときに表示されるウィンドウ表示Ａを示す図である。また、画像処理装置１１は、このようにしてユーザの設定作業等が処理が完了することなく中断された場合、送信部２０６は、当該設定作業についての操作ログ情報を当該作業が中断したユーザの識別情報に対応付けてデータベース３或いはＰＣ４１に対して送信する。
【００２５】
上述のようにして緊急の作業があるユーザに画像処理装置１１の利用を譲ったユーザは、画像処理装置１１にて行なっていたデータ保存処理の設定作業の続きをＰＣ４１にて行なうことができる。上述の識別情報取得部１０１によるユーザの識別情報の取得は、このように中断した作業の続きを行なう際などにＰＣ４１に対してログインしたユーザのＩＤ情報等から取得される。
【００２６】
作業履歴取得部２０３は、ＰＣ４１にて画像処理装置１１を操作するドライバを起動し、所望の設定作業等を行なおうとする際に、作業判定部２０２にて当該ユーザが未完了の処理（上述の例ではデータ保存処理）があると判定された場合に、該未完了の処理についての関連作業での作業履歴に関する情報を取得する。なお、ここでの「所定の画像処理についての関連作業での作業履歴に関する情報」とは、当該所定の画像処理を行なうために必要な設定作業等を行なう際に入力した情報の内容、アイコンや文字の選択情報、画面のスクロール量（画面に収まらない表示対象領域をスクロール表示させることによって表示対象領域のどの部分を画面表示させていたか）、画面のズーム表示などをどのように行なっていたかを示す情報等を意味する。なお、ここではユーザがデータ保存処理についての関連作業として一時保存処理を行なっているため、作業履歴取得部２０３は、当該一時保存処理に関する操作ログに関する情報をデータベース３或いは画像処理装置１１から取得する。
【００２７】
次に、設定情報取得部２０４は、識別情報取得部２０１にて識別情報が取得されたユーザに対応するインターフェース画面の表示に関する設定情報をデータベース３から取得する。なお、設定情報取得部２０４にて取得する設定情報は、識別情報取得部２０１にて識別情報が取得されたユーザに対応する画像処理装置１１におけるインターフェース画面の表示に関する設定情報と同一である。また、ＰＣ４１と画像処理装置１１では、画面上に表示するインターフェース画面のデザインが同一のものとなっている。なお、ここでの「インターフェース画面の表示に関する設定情報」とは、インターフェース画面におけるアイコン等の表示対象物の強調表示の度合いや、アイコンの画面上での配置に関するものである。なお、作業履歴取得部２０３および設定情報取得部２０４における情報の取得の際に利用されるユーザの識別情報は、必ずしも画像処理装置１１側から取得する必要はなく、ユーザによるＰＣ４１へのログイン時等に取得される識別情報を利用すればよい。
【００２８】
画面制御部２０５は、設定情報取得部２０４にて取得される情報に基づいてＰＣ４１のディスプレイ４１ａにてインターフェース画面を表示させるとともに、該インターフェース画面において作業履歴取得部２０３にて取得された情報を作業内容として反映させる。
【００２９】
画面制御部２０５は、上述のようにして取得される設定情報に基づいて、文字の内容、字の書体、字の太さ、字の傾き、図形の形状、線の太さ、輝度、大きさ、動き、彩度およびコントラスト値のうち少なくともいずれかを変化させることにより表示対象物の強調表示を行う。
【００３０】
なお、画面制御部２０５は、作業履歴取得部２０３にて取得される情報に基づいて、作業履歴が取得されたユーザがデータの一時保存処理を行っている場合、ＰＣ４１のディスプレイ４１ａにて表示させるインターフェース画面上で所定のデータ格納作業についての通知Ｎを行う。図８は、ユーザの設定情報に基づいてＰＣ４１のディスプレイ４１ａに画面表示されたインターフェース画面上に、一時保存データの存在を通知する表示を行なった例を示す図である。
【００３１】
図８に示す画面上において、ユーザが一時保存のデータを呼び出すためのボタンアイコン「はい」を選択した場合、画面制御部２０５は、当該データを一時保存したときの作業状態そのままのインターフェース画面を表示する。図９は、ＰＣ４１のディスプレイ４１ａ上にて図５に示した作業状態を再現して表示させた例を示す図である。ユーザは、図９のように画面表示されたインターフェース画面上において、一時保存していたデータを他のユーザの作業の緊急度の影響を受けることなく、所望の格納場所に格納し直すことができる。このように、画面制御部２０５は、作業履歴取得部２０３にて取得される情報に基づいて、ＰＣ４１のディスプレイ４１ａにて表示させるインターフェース画面上でデータベース３（所定の記憶領域）に格納された一時保存データへのアクセスを促す表示を行う。
【００３２】
なお、図９に示す画面表示例では、画面制御部２０５は、図５に示した作業状態および「ユーザが画像処理装置１１を使用する場合の表示設定」を利用してインターフェース画面の表示を行なっているが、これに限られるものではなく、例えば「ユーザがＰＣ４１を使用する場合の表示設定」を利用してインターフェース画面の表示を行なわせるようにしてもよい。ここで、「ユーザが画像処理装置１１を使用する場合の表示設定」とは、例えば当該ユーザの画像処理装置１１におけるアイコンの選択頻度が反映された表示設定を意味し、「ユーザがＰＣ４１を使用する場合の表示設定」とは、例えば当該ユーザのＰＣ４１におけるアイコンの選択頻度が反映された表示設定を意味している。図１０は、画面制御部２０５にて「ユーザがＰＣ４１を使用する場合の表示設定」を利用してインターフェース画面の表示を行なわせた例を示す図である。
【００３３】
ＣＰＵ８０１およびＣＰＵ９０１は、画像処理装置１１およびＰＣ４１における各種処理を行う役割を有しており、またＭＥＭＯＲＹ８０２およびＭＥＭＯＲＹ９０２に格納されているプログラムを実行することにより種々の機能を実現する役割も有している。ＭＥＭＯＲＹ８０２およびＭＥＭＯＲＹ９０２は、例えばＲＯＭやＲＡＭ等から構成されており、画像処理装置１１およびＰＣ４１において利用される種々の情報やプログラムを格納する役割を有している。
【００３４】
図１１は、本実施の形態による表示制御システムにおける処理（表示制御方法）の流れについて説明するためのフローチャートである。
【００３５】
識別情報取得部２０１は、所定の画像処理を実行可能な画像処理装置（第１の機器）１１と通信可能に接続され該画像処理装置における所定の画像処理の実行に関する所定の関連作業を行うことのできるＰＣ（第２の機器）４１において、該関連作業を行うユーザを識別するための識別情報を取得する（識別情報取得ステップ）（Ｓ１０１）。なお、ここでの「所定の画像処理の実行に関する所定の関連作業」とは、所定の画像処理の実行に関する設定作業である。
【００３６】
また、画像処理装置１１における所定の画像処理に関する関連作業としては、この他にも該所定の画像処理の実行に先立って行われる所定のデータ格納作業等が挙げられる。具体的に、「所定のデータ格納作業」とは、格納すべきデータを識別情報取得ステップにて識別情報が取得されたユーザに対応する所定の記憶領域に格納させる作業である。
【００３７】
作業判定部２０２は、識別情報取得ステップにて識別情報が取得されたユーザにより画像処理装置１１にて関連作業が開始された所定の画像処理のうち、ジョブが未完了のものがあるか否かを判定する（作業判定ステップ）（Ｓ１０２）。
【００３８】
作業履歴取得部２０３は、判定ステップにて未完了の所定の画像処理があると判定された場合に、該未完了の所定の画像処理についての関連作業での作業履歴に関する情報を取得する（作業履歴取得ステップ）（Ｓ１０３）。また、作業履歴取得ステップは、識別情報取得ステップにて識別情報が取得されたユーザにより画像処理装置にて行われたデータ格納作業における作業履歴に関する情報を取得することもできる。
【００３９】
設定情報取得部２０４は、識別情報取得ステップにて識別情報が取得されたユーザに対応するインターフェース画面１０１の画面表示に関する設定情報を取得する（設定情報取得ステップ）（Ｓ１０４）。具体的に、ここでの「設定情報」とは、インターフェース画面における表示対象物の強調表示の度合いに関するものを意味している。ここで、設定情報取得ステップにて取得する設定情報は、識別情報取得ステップにて識別情報が取得されたユーザに対応する画像処理装置１１におけるインターフェース画面１０１の画面表示に関する設定情報と同じである。なお、ここでの表示対象物とは、文字およびアイコンの内少なくともいずれかを含むものである。
【００４０】
画面制御部２０５は、設定情報取得ステップにて取得される情報に基づいてＰＣ４１にてインターフェース画面を表示させるとともに、該インターフェース画面において作業履歴取得ステップにて取得された情報を作業内容として反映させる（画面制御ステップ）（Ｓ１０５）。また、画面制御ステップは、作業履歴取得ステップにて取得される情報に基づいて、ＰＣにて表示させるインターフェース画面上で所定の記憶領域に格納されたデータへのアクセスを促す表示（通知）を行う。また、画面制御ステップは、設定情報取得ステップにて取得された設定情報に基づいて、文字の内容、字の書体、字の太さ、字の傾き、図形の形状、線の太さ、輝度、大きさ、動き、彩度およびコントラスト値のうち少なくともいずれかを変化させることにより表示対象物の強調表示を行う。
【００４１】
上述の表示制御システムでの処理における各ステップは、ＭＥＭＯＲＹ８０２およびＭＥＭＯＲＹ９０２に格納されている表示制御プログラムをＣＰＵ８０１およびＣＰＵ９０１に実行させることにより実現されるものである。
【００４２】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４３】
上述のように、本実施の形態によれば、画像処理装置にて作業を中断せざるをえない状況となったときでも、一時保存したデータの所在を意識せずとも、次回ＰＣ側にて作業を継続する際に即座に保存データにアクセスすることができる。また、画像処理装置１１において画面表示されるプリンタドライバのインターフェース画面とＰＣ４１において画面表示されるプリンタドライバのインターフェース画面を同じデザインとすることで操作の一貫性を保つことができ、それぞれの機器の操作性を向上させることができる。
【００４４】
なお、画像処理装置１１にて複数の原稿をスキャンして一時保存されたデータが複数個あるような場合は、ＰＣでの確認画面でこれら複数個の一時保存データそれぞれに対応するサムネールとファイル名を画面表示させ、これらサムネール等に基づいて所望のデータを選択することができる。
【００４５】
本発明を特定の態様により詳細に説明したが、本発明の精神および範囲を逸脱しないかぎり、様々な変更および改質がなされ得ることは、当業者には自明であろう。
【図面の簡単な説明】
【００４６】
【図１】本実施の形態による画像処理装置１１、および画像処理装置１１を含む表示制御システムの構成を示す図である。
【図２】本実施の形態による画像処理装置１１の概要について説明するための外観斜視図である。
【図３】本実施の形態による表示制御システムについて説明するための機能ブロック図である。
【図４】画像処理装置１１において画像読取処理（スキャンプレビュー処理）を行なう際にインターフェース画面１０１に表示されるインターフェース画面を示す図である。
【図５】データ保存処理を行う際にインターフェース画面１０１に表示されるインターフェース画面を示す図である。
【図６】アイコン７０２を選択している様子を示す図である。
【図７】データを一時保存フォルダに格納したときに表示されるウィンドウ表示Ａを示す図である。
【図８】ユーザの設定情報に基づいてＰＣ４１のディスプレイ４１ａに画面表示されたインターフェース画面上に、一時保存データの存在を通知する表示を行なった例を示す図である。
【図９】ＰＣ４１のディスプレイ４１ａ上にて図５に示した作業状態を再現して表示させた例を示す図である。
【図１０】画面制御部２０５にて「ユーザがＰＣ４１を使用する場合の表示設定」を利用してインターフェース画面の表示を行なわせた例を示す図である。
【図１１】本実施の形態による表示制御システムにおける処理（表示制御方法）の流れについて説明するためのフローチャートである。
【符号の説明】
【００４７】
２０１  識別情報取得部、２０２  作業判定部、２０６  送信部、８０１  ＣＰＵ、８０２  ＭＥＭＯＲＹ、１１  画像処理装置、２０３  作業履歴取得部、２０４  設定情報取得部、２０５  画面制御部、９０１  ＣＰＵ、９０２  ＭＥＭＯＲＹ。
【図１】
0004778830.tif 000002
【図２】
0004778830.tif 000003
【図３】
0004778830.tif 000004
【図４】
0004778830.tif 000005
【図５】
0004778830.tif 000006
【図６】
0004778830.tif 000007
【図７】
0004778830.tif 000008
【図８】
0004778830.tif 000009
【図９】
0004778830.tif 000010
【図１０】
0004778830.tif 000011
【図１１】
0004778830.tif 000012